(57)【特許請求の範囲】
【請求項１】
プリンタが直接接続された電子楽器と、該電子楽器と通信ネットワークを通じて通信可能に接続される音楽コンテンツ提供サーバとから成る音楽コンテンツ提供システムであって、
上記電子楽器は、
音楽コンテンツを指定するコンテンツ指定情報、及び、当該音楽コンテンツの保存先を特定する保存先特定情報を上記音楽コンテンツ提供サーバに送信する第１送信手段と、
上記コンテンツ指定情報が指定する音楽コンテンツを上記音楽コンテンツ提供サーバから受信する第１受信手段と、
第１受信手段により受信された音楽コンテンツを、上記保存先特定情報で特定される保存先に記録する第１コンテンツ記録手段と、
当該音楽コンテンツを上記音楽コンテンツ提供サーバから受信したことを特定するコンテンツ特定情報を含むコンテンツ取得情報を上記音楽コンテンツ提供サーバから受信する第２受信手段と、
第２受信手段によりコンテンツ取得情報が受信されたことに応じて、受信されたコンテンツ取得情報に基づく印刷情報を上記プリンタに出力する情報出力手段と、
上記印刷情報に基づいて上記プリンタにより印刷された文書に記載されたコンテンツ特定情報がユーザ操作に応じて入力されたことに応じて、入力されたコンテンツ特定情報を上記音楽コンテンツ提供サーバに送信する第２送信手段と、
第２送信手段により送信されたコンテンツ特定情報に対応した保存先特定情報を上記音楽コンテンツ提供サーバから受信する第３受信手段と、
第３受信手段により受信された保存先特定情報が表わす保存先と再配信される音楽コンテンツを記録する保存先とが一致することに基づいて、音楽コンテンツの再配信を上記音楽コンテンツ提供サーバに要求する要求情報を送信する第３送信手段と、
第３送信手段による要求情報の送信に応じて上記音楽コンテンツ提供サーバから再配信される、第２送信手段により送信されたコンテンツ特定情報に対応した音楽コンテンツを、受信する第４受信手段と、
第４受信手段により受信された音楽コンテンツを当該保存先に記録する第２コンテンツ記録手段と
を具備し、
上記音楽コンテンツ提供サーバは、
上記電子楽器から、音楽コンテンツを指定するコンテンツ指定情報、及び、当該音楽コンテンツの保存先を特定する保存先特定情報を受信する第１サーバ受信手段と、
第１サーバ受信手段により受信されたコンテンツ指定情報が指定する音楽コンテンツを上記電子楽器に送信する第１サーバ送信手段と、
当該音楽コンテンツを上記電子楽器に送信したことを特定するコンテンツ特定情報を上記電子楽器に送信する第２サーバ送信手段と、
第１サーバ受信手段により受信されたコンテンツ指定情報及び保存先特定情報をコンテンツ特定情報に対応付けて記録するコンテンツ情報記録手段と、
上記電子楽器からコンテンツ特定情報を受信する第２サーバ受信手段と、
上記コンテンツ情報記録手段から、第２サーバ受信手段により受信されたコンテンツ特定情報に対応付けられたコンテンツ指定情報及び保存先特定情報を抽出する情報抽出手段と、
上記情報抽出手段により抽出された保存先特定情報を上記電子楽器に送信する第３サーバ送信手段と、
第３サーバ送信手段により送信された保存先特定情報に対応して上記電子楽器から送信される要求情報を受信する第３サーバ受信手段と、
第３サーバ受信手段による要求情報の受信に応じて、上記情報抽出手段により抽出されたコンテンツ指定情報が指定する音楽コンテンツを上記電子楽器に送信する第４サーバ送信手段と
を具備する
ことを特徴とする音楽コンテンツ提供システム。
【請求項２】
プリンタが直接接続され、通信ネットワークを通じて音楽コンテンツ提供サーバと通信可能に接続される電子楽器において、
音楽コンテンツを指定するコンテンツ指定情報、及び、当該音楽コンテンツの保存先を特定する保存先特定情報を上記音楽コンテンツ提供サーバに送信する第１送信手段と、
上記コンテンツ指定情報が指定する音楽コンテンツを上記音楽コンテンツ提供サーバから受信する第１受信手段と、
第１受信手段により受信された音楽コンテンツを、上記保存先特定情報で特定される保存先に記録する第１コンテンツ記録手段と、
当該音楽コンテンツを上記音楽コンテンツ提供サーバから受信したことを特定するコンテンツ特定情報を含むコンテンツ取得情報を上記音楽コンテンツ提供サーバから受信する第２受信手段と、
第２受信手段によりコンテンツ取得情報が受信されたことに応じて、受信されたコンテンツ取得情報に基づく印刷情報を上記プリンタに出力する情報出力手段と、
上記印刷情報に基づいて上記プリンタにより印刷された文書に記載されたコンテンツ特定情報がユーザ操作に応じて入力されたことに応じて、入力されたコンテンツ特定情報を上記音楽コンテンツ提供サーバに送信する第２送信手段と、
第２送信手段により送信されたコンテンツ特定情報に対応した保存先特定情報を上記音楽コンテンツ提供サーバから受信する第３受信手段と、
第３受信手段により受信された保存先特定情報が表わす保存先と再配信される音楽コンテンツを記録する保存先とが一致することに基づいて、音楽コンテンツの再配信を上記音楽コンテンツ提供サーバに要求する要求情報を送信する第３送信手段と、
第３送信手段による要求情報の送信に応じて上記音楽コンテンツ提供サーバから再配信される、第２送信手段により送信されたコンテンツ特定情報に対応した音楽コンテンツを、受信する第４受信手段と、
第４受信手段により受信された音楽コンテンツを当該保存先に記録する第２コンテンツ記録手段と
を具備することを特徴とする電子楽器。
【請求項３】
プリンタが直接接続され、通信ネットワークを通じて音楽コンテンツ提供サーバと通信可能に接続される電子楽器として機能するコンピュータに、
音楽コンテンツを指定するコンテンツ指定情報、及び、当該音楽コンテンツの保存先を特定する保存先特定情報を上記音楽コンテンツ提供サーバに送信する第１送信ステップと、
上記コンテンツ指定情報が指定する音楽コンテンツを上記音楽コンテンツ提供サーバから受信する第１受信ステップと、
第１受信ステップで受信された音楽コンテンツを、上記保存先特定情報で特定される保存先に記録する第１コンテンツ記録ステップと、
当該音楽コンテンツを上記音楽コンテンツ提供サーバから受信したことを特定するコンテンツ特定情報を含むコンテンツ取得情報を上記音楽コンテンツ提供サーバから受信する第２受信ステップと、
第２受信ステップでコンテンツ取得情報が受信されたことに応じて、受信されたコンテンツ取得情報に基づく印刷情報を上記プリンタに出力する情報出力ステップと、
上記印刷情報に基づいて上記プリンタにより印刷された文書に記載されたコンテンツ特定情報がユーザ操作に応じて入力されたことに応じて、入力されたコンテンツ特定情報を上記音楽コンテンツ提供サーバに送信する第２送信ステップと、
第２送信ステップで送信されたコンテンツ特定情報に対応した保存先特定情報を上記音楽コンテンツ提供サーバから受信する第３受信ステップと、
第３受信ステップで受信された保存先特定情報が表わす保存先と再配信される音楽コンテンツを記録する保存先とが一致することに基づいて、音楽コンテンツの再配信を上記音楽コンテンツ提供サーバに要求する要求情報を送信する第３送信ステップと、
第３送信ステップにおける要求情報の送信に応じて上記音楽コンテンツ提供サーバから再配信される、第２送信ステップで送信されたコンテンツ特定情報に対応した音楽コンテンツを、受信する第４受信ステップと、
第４受信ステップで受信された音楽コンテンツを当該保存先に記録する第２コンテンツ記録ステップと
から成る手順を実行させる音楽コンテンツ取得プログラム。
【発明の詳細な説明】
【技術分野】
【０００１】
この発明は、電子楽器に直接プリンタが接続され、サーバから通信ネットワークを通じて電子楽器に音楽コンテンツを配信することができる電子楽器システムに関する。
【背景技術】
【０００２】
最近の電子楽器は機能が多様化し、例えば、特許文献１に示されるように、ネットワーク経由でサーバから購入した音楽コンテンツを利用することができる機能をもった電子楽器等の電子音楽装置が現われている。
【特許文献１】特開２００３−７６３６４号公報
【０００３】
また、特許文献２には、ネットワークに介して電子楽譜データなどのダウンロードが可能なパーソナルコンピュータに電子楽器とプリンタとを接続することにより、パーソナルコンピュータ上の電子楽譜データをプリンタで印刷したり、電子楽譜データから生成した演奏用データで電子楽器に楽音を生成させたりする電子音楽システムが開示されている。
【特許文献２】特開２００４−１１７４８７号公報
【０００４】
しかしながら、従来システムでは、電子楽器で音楽コンテンツを購入した際に音楽コンテンツの購入を記録したものがユーザの手許に残らない。従って、ユーザが音楽コンテンツを購入した後、操作ミスや事故などで音楽コンテンツが失われた場合は、当該音楽コンテンツを購入したことをユーザ側から証明することができず、そのため、音楽コンテンツを再取得することができなかったり、音楽コンテンツ販売者との間でトラブルが生じるという事態になりかねなかった。
【発明の開示】
【発明が解決しようとする課題】
【０００５】
この発明は、このような事情に鑑み、音楽コンテンツがサーバから電子楽器に配信されたときに、電子楽器に直接接続されたプリンタにより、音楽コンテンツ購入の記録文書を印刷して残すことができ、配信された音楽コンテンツが操作ミスや事故で失われた場合、電子楽器をサーバに再接続して記録文書の記載事項を入力することにより当該音楽コンテンツを再取得することができる電子楽器システムを提供することを目的とする。
【課題を解決するための手段】
【０００６】
この発明の主たる特徴に従うと、プリンタ（ＰＲ）が直接接続された（ＣＢ）電子楽器（ＥＭ）と、該電子楽器（ＥＭ）と通信ネットワーク（ＣＮ）を通じて通信可能に接続される音楽コンテンツ提供サーバ（ＳＶ）とから成る音楽コンテンツ提供システムであって、電子楽器（ＥＭ）は、音楽コンテンツを指定するコンテンツ指定情報、及び、当該音楽コンテンツの保存先を特定する保存先特定情報（メディアＩＤ）を音楽コンテンツ提供サーバ（ＳＶ）に送信する第１送信手段（Ｅ６）と、コンテンツ指定情報が指定する音楽コンテンツ（Ｄｓ３）を音楽コンテンツ提供サーバ（ＳＶ）から受信する第１受信手段（Ｅ７）と、第１受信手段（Ｅ７）により受信された音楽コンテンツ（Ｄｓ３）を、保存先特定情報（メディアＩＤ）で特定される保存先（例えば、スマートメディア）に記録する第１コンテンツ記録手段（Ｅ７）と、当該音楽コンテンツ（Ｄｓ３）を音楽コンテンツ提供サーバ（ＳＶ）から受信したことを特定するコンテンツ特定情報（購入ＩＤ）を含むコンテンツ取得情報（購入情報：Ｄｓ４）を音楽コンテンツ提供サーバ（ＳＶ）から受信する第２受信手段（Ｅ８）と、第２受信手段（Ｅ８）によりコンテンツ取得情報（購入情報）が受信されたことに応じて、受信されたコンテンツ取得情報（購入情報）に基づく印刷情報（画像ファイル：Ｄｅ３）をプリンタ（ＰＲ）に出力する情報出力手段〔段落［００３０］：（ｄ），Ｅ９，Ｅ１２〕と、印刷情報（画像ファイル：Ｄｅ３）に基づいてプリンタ（ＰＲ）により印刷された文書（コンテンツ購入文書Ｂｓ）に記載されたコンテンツ特定情報（購入ＩＤ）がユーザ操作に応じて入力されたことに応じて、入力されたコンテンツ特定情報（購入ＩＤ：Ｄｅ４）を音楽コンテンツ提供サーバ（ＳＶ）に送信する第２送信手段（Ｅ２３）と、第２送信手段（Ｅ２３）により送信されたコンテンツ特定情報（購入ＩＤ）に対応した保存先特定情報（メディアＩＤ：Ｄｓ７）を音楽コンテンツ提供サーバ（ＳＶ）から受信する第３受信手段（Ｅ２６）と、第３受信手段（Ｅ２６）により受信された保存先特定情報（メディアＩＤ）が表わす保存先と再配信される音楽コンテンツを記録する保存先とが一致することに基づいて（Ｅ２７，Ｅ２８＝ＹＥＳ）、音楽コンテンツの再配信を音楽コンテンツ提供サーバ（ＳＶ）に要求する要求情報を送信する第３送信手段（Ｅ２９）と、第３送信手段（Ｅ２９）による要求情報の送信に応じて音楽コンテンツ提供サーバ（ＳＶ）から再配信される、第２送信手段（Ｅ２３）により送信されたコンテンツ特定情報（購入ＩＤ）に対応した音楽コンテンツ（Ｄｓ８）を、受信する第４受信手段（Ｅ２９）と、第４受信手段（Ｅ２９）により受信された音楽コンテンツ（Ｄｓ８）を当該保存先（例えば、スマートメディア）に記録する第２コンテンツ記録手段（Ｅ３０）とを具備し、音楽コンテンツ提供サーバ（ＳＶ）は、電子楽器（ＥＭ）から、音楽コンテンツを指定するコンテンツ指定情報、及び、当該音楽コンテンツの保存先を特定する保存先特定情報（メディアＩＤ）を受信する第１サーバ受信手段（Ｓ３）と、第１サーバ受信手段（Ｓ３）により受信されたコンテンツ指定情報が指定する音楽コンテンツ（Ｄｓ３）を電子楽器（ＥＭ）に送信する第１サーバ送信手段（Ｓ４）と、当該音楽コンテンツ（Ｄｓ３）を電子楽器（ＥＭ）に送信したことを特定するコンテンツ特定情報（購入ＩＤ）を電子楽器（ＥＭ）に送信する第２サーバ送信手段（Ｓ６）と、第１サーバ受信手段（Ｓ３）により受信されたコンテンツ指定情報及び保存先特定情報（メディアＩＤ）をコンテンツ特定情報（購入ＩＤ）に対応付けて記録するコンテンツ情報記録手段（ＤＢｃ；Ｓ５）と、電子楽器（ＥＭ）からコンテンツ特定情報（購入ＩＤ：Ｄｅ４）を受信する第２サーバ受信手段（Ｓ２２）と、コンテンツ情報記録手段（ＤＢｃ）から、第２サーバ受信手段（Ｓ２２）により受信されたコンテンツ特定情報（購入ＩＤ）に対応付けられたコンテンツ指定情報及び保存先特定情報（メディアＩＤ）を抽出する情報抽出手段（Ｓ２２）と、情報抽出手段（Ｓ２２）により抽出された保存先特定情報（メディアＩＤ）を電子楽器（ＥＭ）に送信する第３サーバ送信手段（Ｓ２５）と、第３サーバ送信手段（Ｓ２５）により送信された保存先特定情報（メディアＩＤ）に対応して電子楽器（ＥＭ）から送信される要求情報を受信する第３サーバ受信手段（Ｓ２６）と、第３サーバ受信手段（Ｓ２６）による要求情報の受信に応じて、情報抽出手段（Ｓ２２）により抽出されたコンテンツ指定情報が指定する音楽コンテンツ（Ｄｓ８）を電子楽器（ＥＭ）に送信する第４サーバ送信手段（Ｓ２６）とを具備するる音楽コンテンツ提供システム〔請求項１〕が提供される。なお、括弧書きは実施例の参照記号や用語等を表わし、以下においても同様である。
【０００７】
また、この特徴に従って、プリンタ（ＰＲ）が直接接続され（ＣＢ）、通信ネットワーク（ＣＮ）を通じて音楽コンテンツ提供サーバ（ＳＶ）と通信可能に接続される電子楽器（ＥＭ）において、音楽コンテンツを指定するコンテンツ指定情報、及び、当該音楽コンテンツの保存先を特定する保存先特定情報（メディアＩＤ）を音楽コンテンツ提供サーバ（ＳＶ）に送信する第１送信手段（Ｅ６）と、コンテンツ指定情報が指定する音楽コンテンツ（Ｄｓ３）を音楽コンテンツ提供サーバ（ＳＶ）から受信する第１受信手段（Ｅ７）と、第１受信手段（Ｅ７）により受信された音楽コンテンツ（Ｄｓ３）を、保存先特定情報（メディアＩＤ）で特定される保存先（例えば、スマートメディア）に記録する第１コンテンツ記録手段（Ｅ７）と、当該音楽コンテンツ（Ｄｓ３）を音楽コンテンツ提供サーバ（ＳＶ）から受信したことを特定するコンテンツ特定情報（購入ＩＤ）を含むコンテンツ取得情報（購入情報：Ｄｓ４）を音楽コンテンツ提供サーバ（ＳＶ）から受信する第２受信手段（Ｅ８）と、第２受信手段（Ｅ８）によりコンテンツ取得情報（購入情報）が受信されたことに応じて、受信されたコンテンツ取得情報（購入情報）に基づく印刷情報（画像ファイル：Ｄｅ３）をプリンタ（ＰＲ）に出力する情報出力手段〔段落［００３０］：（ｄ），Ｅ９，Ｅ１２〕と、印刷情報（画像ファイル：Ｄｅ３）に基づいてプリンタ（ＰＲ）により印刷された文書（コンテンツ購入文書Ｂｓ）に記載されたコンテンツ特定情報（購入ＩＤ）がユーザ操作に応じて入力されたことに応じて、入力されたコンテンツ特定情報（購入ＩＤ：Ｄｅ４）を音楽コンテンツ提供サーバ（ＳＶ）に送信する第２送信手段（Ｅ２３）と、第２送信手段（Ｅ２３）により送信されたコンテンツ特定情報（購入ＩＤ）に対応した保存先特定情報（メディアＩＤ：Ｄｓ７）を音楽コンテンツ提供サーバ（ＳＶ）から受信する第３受信手段（Ｅ２６）と、第３受信手段（Ｅ２６）により受信された保存先特定情報（メディアＩＤ）が表わす保存先と再配信される音楽コンテンツを記録する保存先とが一致することに基づいて（Ｅ２７，Ｅ２８＝ＹＥＳ）、音楽コンテンツの再配信を音楽コンテンツ提供サーバ（ＳＶ）に要求する要求情報を送信する第３送信手段（Ｅ２９）と、第３送信手段（Ｅ２９）による要求情報の送信に応じて音楽コンテンツ提供サーバ（ＳＶ）から再配信される、第２送信手段（Ｅ２３）により送信されたコンテンツ特定情報（購入ＩＤ）に対応した音楽コンテンツ（Ｄｓ８）を、受信する第４受信手段（Ｅ２９）と、第４受信手段（Ｅ２９）により受信された音楽コンテンツ（Ｄｓ８）を当該保存先（例えば、スマートメディア）に記録する第２コンテンツ記録手段（Ｅ３０）とを具備する電子楽器（ＥＭ）〔請求項２〕、並びに、プリンタ（ＰＲ）が直接接続され（ＣＢ）、通信ネットワーク（ＣＮ）を通じて音楽コンテンツ提供サーバ（ＳＶ）と通信可能に接続される電子楽器として機能するコンピュータ（ＥＭ）に、音楽コンテンツを指定するコンテンツ指定情報、及び、当該音楽コンテンツの保存先を特定する保存先特定情報（メディアＩＤ）を音楽コンテンツ提供サーバ（ＳＶ）に送信する第１送信ステップ（Ｅ６）と、コンテンツ指定情報が指定する音楽コンテンツ（Ｄｓ３）を音楽コンテンツ提供サーバ（ＳＶ）から受信する第１受信ステップ（Ｅ７）と、第１受信ステップ（Ｅ７）で受信された音楽コンテンツ（Ｄｓ３）を、保存先特定情報（メディアＩＤ）で特定される保存先（例えば、スマートメディア）に記録する第１コンテンツ記録ステップ（Ｅ７）と、当該音楽コンテンツ（Ｄｓ３）を音楽コンテンツ提供サーバ（ＳＶ）から受信したことを特定するコンテンツ特定情報（購入ＩＤ）を含むコンテンツ取得情報（購入情報：Ｄｓ４）を音楽コンテンツ提供サーバ（ＳＶ）から受信する第２受信ステップ（Ｅ８）と、第２受信ステップ（Ｅ８）でコンテンツ取得情報（購入情報）が受信されたことに応じて、受信されたコンテンツ取得情報（購入情報）に基づく印刷情報（画像ファイル：Ｄｅ３）をプリンタ（ＰＲ）に出力する情報出力ステップ〔段落［００３０］：（ｄ），Ｅ９，Ｅ１２〕と、印刷情報（画像ファイル：Ｄｅ３）に基づいてプリンタ（ＰＲ）により印刷された文書（コンテンツ購入文書Ｂｓ）に記載されたコンテンツ特定情報（購入ＩＤ）がユーザ操作に応じて入力されたことに応じて、入力されたコンテンツ特定情報（購入ＩＤ：Ｄｅ４）を音楽コンテンツ提供サーバ（ＳＶ）に送信する第２送信ステップ（Ｅ２３）と、第２送信ステップ（Ｅ２３）で送信されたコンテンツ特定情報（購入ＩＤ）に対応した保存先特定情報（メディアＩＤ：Ｄｓ７）を音楽コンテンツ提供サーバ（ＳＶ）から受信する第３受信ステップ（Ｅ２６）と、第３受信ステップ（Ｅ２６）で受信された保存先特定情報（メディアＩＤ）が表わす保存先と再配信される音楽コンテンツを記録する保存先とが一致することに基づいて（Ｅ２７，Ｅ２８＝ＹＥＳ）、音楽コンテンツの再配信を音楽コンテンツ提供サーバ（ＳＶ）に要求する要求情報を送信する第３送信ステップ（Ｅ２９）と、第３送信ステップ（Ｅ２９）における要求情報の送信に応じて音楽コンテンツ提供サーバ（ＳＶ）から再配信される、第２送信ステップ（Ｅ２３）で送信されたコンテンツ特定情報（購入ＩＤ）に対応した音楽コンテンツ（Ｄｓ８）を、受信する第４受信ステップ（Ｅ２９）と、第４受信ステップ（Ｅ２９）で受信された音楽コンテンツ（Ｄｓ８）を当該保存先（例えば、スマートメディア）に記録する第２コンテンツ記録ステップ（Ｅ３０）とから成る手順を実行させる音楽コンテンツ取得プログラム〔請求項３〕が提供される。
【発明の効果】
【０００８】
この発明では、電子楽器（ＥＭ）は、音楽コンテンツ提供サーバ（ＳＶ）から通信ネットワーク（ＣＮ）を介して音楽コンテンツを購入する際に、購入しようとする音楽コンテンツを指定するコンテンツ指定情報や音楽コンテンツの保存先を特定する保存先特定情報（メディアＩＤ）などのコンテンツ配信指示情報（Ｄｅ１）をサーバ（ＳＶ）に送る。サーバ（ＳＶ）は、コンテンツ指定情報が指定する音楽コンテンツ（Ｄｓ３）を電子楽器（ＥＭ）に配信すると共に、当該音楽コンテンツの配信を特定するコンテンツ特定情報（購入ＩＤ）を生成してコンテンツ特定情報（購入ＩＤ）を含むコンテンツ取得情報（購入情報：Ｄｓ４）を電子楽器（ＥＭ）に送信する。電子楽器（ＥＭ）は、パーソナルコンピュータなどを介することなくダイレクトにプリンタ（ＰＲ）が接続されており、コンテンツ取得情報（購入情報）をサーバ（ＳＶ）から受け取ると、コンテンツ取得情報（購入情報）に対応して作成した印刷情報（画像ファイル）〔具体的には、コンテンツ取得情報を、プリンタＰＲから取得した能力情報（ｄ）が表わすプリンタ印刷能力に応じた印刷情報に変換する（Ｅ９）〕に従って、コンテンツ特定情報（購入ＩＤ）を含むコンテンツ購入記録文書（Ｂｓ）をプリンタ（ＰＲ）に印刷させる。また、サーバ（ＳＶ）では、コンテンツ指定情報や保存先特定情報（メディアＩＤ）などのコンテンツ配信情報がコンテンツ特定情報（購入ＩＤ）に関連付けて配信情報記録手段（ＤＢｃ）に記録される。
【０００９】
従って、この発明によれば、電子楽器をネットワークに直接つないで音楽コンテンツ提供サーバから所望の音楽コンテンツを購入する際に、パーソナルコンピュータなしで電子楽器に直接プリンタを接続した簡易なシステム構成により、音楽コンテンツの購入を記録したコンテンツ購入記録文書を簡単に印刷して残すことができる。また、印刷された記録文書にはコンテンツ特定情報が記載されており、サーバにはコンテンツ配信情報がコンテンツ特定情報に関連付けて記録されるため、電子楽器ユーザは、記録文書上のコンテンツ特定情報を元にして取得済み音楽コンテンツに関する詳細な問合せをすることができる。
【００１０】
この発明では、さらに、電子楽器（ＥＭ）が音楽コンテンツ提供サーバ（ＳＶ）から音楽コンテンツを既に取得している場合、コンテンツ特定情報（購入ＩＤ）を含むコンテンツ購入記録文書（Ｂｓ）がプリンタ（ＰＲ）で印刷されているので、電子楽器（ＥＭ）において、ユーザがコンテンツ購入文書（Ｂｓ）上のコンテンツ特定情報（購入ＩＤ）を入力すると、これに対応する保存先特定情報（メディアＩＤ）がサーバ（ＳＶ）から電子楽器（ＥＭ）に返信される。電子楽器（ＥＭ）では、再配信を受けようとする音楽コンテンツの保存先の保存先特定情報（メディアＩＤ）が、返信された保存先特定情報（メディアＩＤ）と同じときには、当該音楽コンテンツをサーバ（ＳＶ）から取得し当該保存先に記録する。
【００１１】
従って、この発明によれば、さらに、操作ミスや事故で音楽コンテンツが失われた場合、サーバに再接続し、当該音楽コンテンツの購入内容を記録したコンテンツ購入記録文書の記載事項を入力することにより、当該音楽コンテンツを再取得することができる。また、サーバ側に記録された保存先特定情報と電子楽器側における保存先の保存先特定情報が一致する場合に限って音楽コンテンツの再取得することができるようにしているので、不正な音楽コンテンツの再取得をより確実に防止することができる。
【００１２】
なお、電子楽器からプリンタに出力する印刷情報は、画像データ即ち印刷画像情報であることが好ましい。この場合、電子楽器及びプリンタにＵＳＢインターフェースを設けて両機器間をＵＳＢケーブルで接続することによって更に簡単なシステム構成が得られる。また、通信プロトコルにPictBridge（登録商標）を採用することにより、両機器のメーカや機種に拘わらず相互接続可能となり、電子楽器からの印刷画像情報に従って直接接続プリンタでコンテンツ購入文書を簡単に印刷することができる。
【発明を実施するための最良の形態】
【００１３】
〔電子楽器システムの概要〕
この発明による電子楽器システムは、電子楽器、プリンタ及び音楽コンテンツ提供サーバにより構成される。図１は、この発明の一実施例による電子楽器システムにおける電子楽器のハードウエア構成ブロック図を表わす。電子楽器ＥＭは、楽音情報処理機能を有するコンピュータであり、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、効果回路９、ＵＳＢインターフェース（Ｉ／Ｆ）１０、ＭＩＤＩインターフェース（Ｉ／Ｆ）１１、通信インターフェース（Ｉ／Ｆ）１２などを備え、これら要素１〜１２はバス１３を介して互いに接続される。
【００１４】
ＣＰＵ１は、所定の制御プログラムに従い、タイマ１４によるクロックを利用して音楽コンテンツの購入処理、音楽コンテンツ購入情報の印刷処理、音楽コンテンツの再ダウンロード処理などを含む種々の音楽情報処理を実行し、ＲＡＭ２及びＲＯＭ３等と共にデータ処理部を構成する。ＲＡＭ２は、これらの処理に際して必要な各種データを一時記憶するためのワーク領域として用いられる。また、ＲＯＭ３には、これらの処理を実行するための各種制御プログラムやデータ等が予め記憶される。
【００１５】
外部記憶装置４は、ハードディスク（ＨＤ）等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、任意の外部記憶装置４に、上述した制御プログラムや種々の音楽データを記憶することができる。また、スマートメディア等の特定の記憶媒体（メディア）には、サーバからダウンロードした音楽コンテンツを記憶することができる。
【００１６】
演奏操作検出回路５は、鍵盤１５ａ〔図２（１）〕やホイール等を含む演奏操作子１５の操作内容を検出し、検出したユーザの演奏操作に対応する情報をデータ処理部に導入する。設定操作検出回路６は、電子楽器ＥＭの操作パネル上に設けられた設定操作子１６の操作内容を検出し、検出したユーザの設定操作に対応する情報をデータ処理部に導入する。表示回路７は、電子楽器ＥＭの演奏や設定に必要な各種画面を表示するＬＣＤ等のディスプレイ（表示器）１７や各種インジケータに接続され、ディスプレイ１７やインジケータの表示・点灯内容をＣＰＵ１からの指令に従って制御する。例えば、操作子１５，１６の操作に対する表示援助や演奏内容表示を行い、また、外部記憶装置４に記憶された音楽コンテンツに含まれる楽譜データ等に基づく画面をディスプレイ１７に表示することができる。
【００１７】
音源回路８及び効果付与ＤＳＰを有する効果回路９は楽音信号生成部（音源部ともいい、両回路８，９はソフトウエアを含ませることができる）を構成し、演奏操作子１５の演奏操作に基づいて、音源回路８で楽音信号が生成され効果回路９でこの楽音信号に効果を付与される。楽音信号生成部（音源部）８，９は、また、ＲＯＭ３や外部記憶装置４中の任意のメディアに記憶された演奏データや外部記憶装置４中の特定のメディアに記録された音楽コンテンツに含まれる演奏データやオーディオデータに基づいて楽音信号を生成することができる。効果回路９に後置されたサウンドシステム１８は、Ｄ／Ａ変換部やアンプ、スピーカを備え、楽音信号生成部８，９からの楽音信号に基づく楽音を発生する。
【００１８】
ＵＳＢＩ／Ｆ１０にはＵＳＢケーブルＣＢを通じてＵＳＢ対応のプリンタＰＲが接続される。プリンタＰＲは、詳細な構成を図示しないが、基本的には、ＣＰＵ、ＲＡＭ、ＲＯＭ、印刷出力部及びＵＳＢＩ／Ｆを備え、電子楽器ＥＭからＵＳＢケーブルＣＢ及びＵＳＢＩ／Ｆを通じて入力されたコンテンツ購入情報を印刷出力部で印刷文書としてプリントアウトすることができる。また、ＭＩＤＩＩ／Ｆ１１には他のＭＩＤＩ音楽機器ＭＤが接続され、他の音楽機器ＭＤとの間でＭＩＤＩ演奏データを授受し、電子楽器ＥＭで利用することができる。さらに、通信Ｉ／Ｆ１２は、モデムを含み、インターネットやローカルエリアネットワーク（ＬＡＮ）などの通信ネットワークＣＮを介して音楽コンテンツ提供サーバＳＶ等のサーバコンピュータや他の電子楽器が接続される。
【００１９】
音楽コンテンツ提供サーバＳＶは、電子楽器ＥＭと同様の構成を有するが、演奏操作部や楽音信号生成部を備えていない。外部記憶装置には、電子楽器用制御プログラムや演奏データ、楽譜データ等を含む種々の提供可能な音楽コンテンツを大量に蓄積したコンテンツ蓄積データベースＤＢａ、音楽コンテンツの提供に必要な各種案内情報を蓄積したコンテンツ案内データベースＤＢｂ、電子楽器ＥＭや他の電子楽器に既に提供済みの音楽コンテンツに関する情報を蓄積したコンテンツ配信記録データベースＤＢｃ等が構築される。
【００２０】
〔システムの概要〕
図２は、この発明の一実施例による電子楽器システムの概要を説明するための図である。この電子楽器システムは、図２（１）のシステム概念図に示すように、電子楽器ＥＭ、プリンタＰＲ及び音楽コンテンツ提供サーバＳＶから成り、電子楽器ＥＭは、この例では鍵盤１５ａを備える電子鍵盤楽器であって、操作パネル面には各種のパネル設定スイッチ（設定操作子）１６やディスプレイ１７、各種インジケータ（図示せず）が設けられる。電子楽器ＥＭの背面には、印刷情報を出力するためのＵＳＢ端子が設けられ、ＵＳＢ端子にはＵＳＢケーブルＣＢを介してＵＳＢ対応プリンタＰＲがダイレクトに接続される。
【００２１】
電子楽器ＥＭ・プリンタＰＲ間が接続されると、電子楽器ＥＭはＵＳＢデバイスになり、プリンタＰＲはＵＳＢホストとして振舞い、電子楽器ＥＭはプリンタＰＲから印刷能力を取得する。プリンタＰＲは、電子楽器ＥＭからの種々の印刷情報に基づいて種々の印刷文書Ｂｓを印刷し、図２（２）にはプリンタＰＲから出力される印刷文書Ｂｓの一例が示される。この場合、両機器間の通信プロトコルには、両機器のメーカや機種に拘わらず相互接続可能な“PictBridge（登録商標）”と呼ばれる規格を採用するのが好都合である。つまり、電子楽器ＥＭは、PictBridgeに対応した任意のプリンタＰＲに対してＳＩＣＤ（Still Image Capture Device）インターフェイスとしても機能し、プリンタＰＲは、電子楽器ＥＭからの印刷画像情報に従って所要の文書Ｂｓを簡単に印刷することができる。
【００２２】
電子楽器ＥＭは、更に通信Ｉ／Ｆ１２のネットワーク端子を背面に備えており、通信ネットワークＣＮを経由して、コンテンツ蓄積データベースＤＢａ、コンテンツ案内データベースＤＢｂ、コンテンツ配信記録データベースＤＢｃ等を備える音楽コンテンツ提供サーバＳＶに接続され、所望の音楽コンテンツをサーバＳＶから取得することができる。
【００２３】
サーバＳＶのコンテンツ蓄積データベースＤＢａに蓄積されている音楽コンテンツには、ＭＩＤＩ形式の演奏データ（ソングデータ）、オーディオデータファイル（波形データ）、電子楽譜データ、電子楽器の演奏条件を設定するためのデータ（レジストデータ、パターンデータやスタイルデータ等）、電子楽器に各種処理機能を与える制御プログラムなどがある。サーバＳＶは、コンテンツ案内データベースＤＢｂに蓄積された案内情報に従ってサーバＳＶにアクセスしてきた電子楽器ＥＭに提供可能な音楽コンテンツを案内し、提供した音楽コンテンツの情報はコンテンツ配信記録データベースＤＢｃに記録される。
【００２４】
サーバＳＶから電子楽器ＥＭにダウンロードされた購入済みの音楽コンテンツは、セキュリティのために特定の保存先に保存される。外部記憶装置４の中でこのような購入済みセキュリティ音楽コンテンツを記録するメディアの典型例はＩＤ付スマートメディアである。しかしながら、メディアＩＤ等の保存先特定情報を持つことができるメディアであれば、他の記憶媒体でも音楽コンテンツの保存先とすることができる。例えば、メディアＩＤを有するＭＯなどを保存先としたり、また、内蔵ＨＤや外付けＨＤのような外部記憶装置を保存先にしてもよく、後者の場合は、電子楽器ＥＭ自身や外部記憶装置に付けられたＩＤや製造番号などをＣＰＵ１から読み取り可能にして保存先特定情報とすればよい。
【００２５】
所望の音楽コンテンツを指定するコンテンツ情報や保存先特定情報を電子楽器ＥＭからサーバＳＶに送ると、サーバＳＶは、指定された音楽コンテンツを電子楽器ＥＭに配信し、当該コンテンツ情報や保存先特定情報に後述する購入ＩＤを付加したコンテンツ購入記録データをコンテンツ配信記録データベースＤＢｃに記録すると共に、購入ＩＤを含むコンテンツ購入情報を電子楽器ＥＭに送る。電子楽器ＥＭは、サーバＳＶから受信したコンテンツ購入情報に基づく印刷情報を生成し、プリンタＰＲに対して、音楽コンテンツの購入を表わす図２（２）のようなコンテンツ購入文書Ｂｓを自動プリントアウトさせる。従って、電子楽器ユーザは、音楽コンテンツの購入内容を紙面で確認することができる。
【００２６】
コンテンツ購入文書Ｂｓは、図２（２）の例では、表題部（「音楽データショップご利用明細」…）に続いて、主項目として、購入ＩＤ（ AZ121879344）、コンテンツ指定情報（購入した音楽コンテンツをタイプや曲名などで特定する。特有のコンテンツ名でもよく、更に価格が付記される）及び購入日時が記載され、最後に連絡先が記される。ここで、購入ＩＤは、音楽コンテンツの購入（最初の配信）事実を特定するコンテンツ特定情報を表わし、音楽コンテンツの最初の配信毎にユニークな値が与えられ、典型的には、コンテンツ指定情報、保存先特定情報及びコンテンツ配信時間情報により特定される。
【００２７】
このシステムでは、電子楽器ＥＭにおいて、操作ミスや事故などの何らかの手違いがあって既に取得した音楽コンテンツが消失されたときには、コンテンツ購入文書Ｂｓに記載された購入ＩＤを元にして同じ音楽コンテンツを再取得することができる。すなわち、電子楽器ＥＭをサーバＳＶに再接続し、電子楽器ユーザがコンテンツ購入文書Ｂｓ上の購入ＩＤを電子楽器ＥＭに入力してサーバＳＶに送ると、サーバＳＶは、コンテンツ配信記録データベースＤＢｃ内のコンテンツ購入記録データを検索し、電子楽器ＥＭからの購入ＩＤと照合した場合に同じ音楽コンテンツを再度電子楽器ＥＭに配信する。
【００２８】
なお、購入ＩＤに代えて、保存先特定情報（メディアＩＤ）、コンテンツ指定情報及びコンテンツ配信時間情報（購入日時情報）の３つ情報を組にした購入特定データを用いてもよい。また、コンテンツ購入文書Ｂｓには、購入者が分かり易くするために或いはチェックを厳しくするために、図示の項目に加えて、例えば、ユーザ情報や電子楽器の製造番号などの補助的な情報を印刷してもよく、このような補助的情報をも入力させてコンテンツを再取得することができるようにしてもよい。さらに、サーバＳＶから送信されるコンテンツ購入情報については、パラメータ（要素データ）のみをサーバＳＶから送って電子楽器ＥＭで画像データに生成するようにしてもよいし、サーバＳＶから画像データ形式で送り電子楽器がプリンタＰＲの能力に応じて変換してもよい。
【００２９】
以上のように、この発明の一実施例による電子楽器システムでは、電子楽器ＥＭから通信ネットワークを介してサーバＳＶにアクセスし、配信される音楽コンテンツを指定するコンテンツ指定情報や音楽コンテンツの保存先を特定するメディアＩＤ（保存先特定情報）を送って所望の音楽コンテンツの配信を要求すると、サーバＳＶは、当該音楽コンテンツを電子楽器ＥＭに配信すると共に、コンテンツ指定情報やメディアＩＤに加えて音楽コンテンツの購入を特定する購入ＩＤ（コンテンツ特定情報）を含むコンテンツ購入記録データをコンテンツ配信記録データベースＤＢｃに記録し、購入ＩＤを含むコンテンツ購入情報（Ｄｓ４）を電子楽器ＥＭに送る。電子楽器ＥＭにＵＳＢケーブルＣＢを通じて直接接続されプリンタＰＲは、電子楽器ＥＭで受信されたコンテンツ購入情報に基づくコンテンツ購入文書Ｂｓを自動的にプリントアウトする。配信済み（購入済み）音楽コンテンツの消失時には、購入文書Ｂｓに記された購入ＩＤを電子楽器ＥＭに入力してサーバＳＶに送ると、サーバＳＶは、コンテンツ配信記録データベースＤＢｃを検索し、電子楽器ＥＭからの購入ＩＤ及びメディアＩＤがデータベースＤＢｃ内のコンテンツ購入記録データと照合した場合に、同じ音楽コンテンツを電子楽器ＥＭに再配信する。
【００３０】
〔処理フロー例〕
（１）プリンタ検出時の処理
この発明の一実施例による電子楽器システムにおいて、電子楽器ＥＭとプリンタＰＲが接続されたとき、即ち、電源が入っている電子楽器ＥＭとプリンタＰＲがＵＳＢケーブルＣＢで接続された場合や、電子楽器ＥＭとプリンタＰＲがケーブルで接続された後に電源オンになった場合に、PictBridge規格に従って、次の処理（ａ）〜（ｄ）が実行される：
（ａ）ＵＳＢケーブルＣＢの接続或いは電源投入をトリガとして、電子楽器ＥＭはプリンタＰＲをＵＳＢホスト機器として、そして、プリンタＰＲは電子楽器ＥＭを USB Still Image Captureデバイスとして、検出する。
（ｂ）互いの機器ＥＭ，ＰＲが画像印刷プロトコルに対応していることを確認する。
（ｃ）両機器ＥＭ，ＰＲが互いにどんなサービス機能を有するかの確認をする。電子楽器ＥＭは、自身が画像ファイル（印刷画像情報）供給機能をもち、相手機器ＰＲの印刷機能を利用することを、プリンタに伝える。プリンタＰＲは、自身が印刷機能をもち、相手機器ＥＭの画像ファイル供給機能を利用することを、電子楽器ＥＭに伝える。
（ｄ）電子楽器ＥＭはプリンタＰＲに対して設定可能な能力を問合せ、プリンタＰＲは、それに応じて、自身が受け取ることのできるファイルフォーマット（例えば、ＢＭＰ形式など）等の設定可能な能力を表わす能力情報を返答する。
【００３１】
（２）コンテンツ購入時の処理
図３及び図４は、この発明の一実施例によるコンテンツ購入時の処理例を表わすフローチャートを示す。この処理フローは、「処理１」と呼ばれ、電子楽器ＥＭがコンテンツ提供サーバＳＶにアクセスして購入開始を指示することにより開始し、所望の音楽コンテンツを最初に取得する（購入する）際に、音楽コンテンツ購入処理（図３）が実行され、音楽コンテンツを取得した後、電子楽器ＥＭとプリンタとの間で、PictBridge規格に従った音楽コンテンツ購入情報印刷処理（図４）が実行される。
【００３２】
電子楽器ＥＭにおいて「処理１」が開始すると、電子楽器ユーザによる音楽コンテンツ購入要求のブラウズ操作によって、購入可能な音楽コンテンツの情報提供をサーバＳＶに要求する（ステップＥ１）。サーバＳＶは、電子楽器ＥＭからの要求に応じて、コンテンツ案内データベースＤＢｂから、要求に対応する「購入可能コンテンツ一覧ページ情報Ｄｓ１」を抽出し電子楽器ＥＭに返送する（ステップＳ１）。
【００３３】
電子楽器ＥＭでは、購入要求に応答してサーバＳＶから送信されてくる購入可能コンテンツ一覧ページ情報Ｄｓ１を取得し、この情報Ｄｓ１に従って購入可能コンテンツ一覧ページをディスプレイ１７の画面に表示する（Ｅ１）。次いで、画面に表示された購入可能コンテンツ一覧ページに対して、ユーザにより、購入したい所望の音楽コンテンツを選択する操作が行われると、この操作に応じてコンテンツ指定情報（選択された音楽コンテンツを指定する情報）を決定し、次に必要な購入手続きをサーバＳＶに要求する（Ｅ２）。
【００３４】
サーバＳＶは、電子楽器ＥＭからの要求に応じて、案内データベースＤＢｂから、電子楽器ＥＭのユーザ情報や音楽コンテンツ対価の支払い方法などの音楽コンテンツ購入手続きに必要な電子楽器ＥＭ側の情報を入力するための「購入手続きページ情報Ｄｓ２」を抽出し、電子楽器ＥＭに返送する（Ｓ２）。電子楽器ＥＭでは、サーバＳＶから購入手続きページ情報Ｄｓ２を取得し、この情報Ｄｓ２に従って購入手続きページを購入ボタンと共に画面に表示し（Ｅ３）、購入手続きページに対するユーザの入力操作を待つ（Ｅ４）。
【００３５】
ここで、ユーザにより、ユーザ情報や支払い方法などを購入手続きページに入力する操作がなされ、購入手続きページ内の購入ボタンが押され、さらに、コンテンツ指定情報で指定された音楽コンテンツが記録される保存先（例えば、スマートメディア）を指示する操作がなされると、指示された保存先のメディアＩＤ（保存先特定情報）を取得する（Ｅ５）。そして、コンテンツ指定情報、ユーザ情報、支払い方法情報、メディアＩＤなどから成る購入指示（コンテンツ配信指示）情報Ｄｅ１をサーバＳＶに送る（Ｅ６）。
【００３６】
これに対して、サーバＳＶは、電子楽器ＥＭから受け取った購入指示情報Ｄｅ１のコンテンツ指定情報が表わす音楽コンテンツの対価、支払い方法情報が表わす対価の支払い方法やユーザ情報などに従って、電子楽器ユーザに対する課金処理を行い（Ｓ３）、コンテンツ指定情報で指定される音楽コンテンツＤｓ３をコンテンツ蓄積データベースＤＢａから取り出して電子楽器ＥＭに配信する（Ｓ４）。そして、電子楽器ＥＭは、サーバＳＶから音楽コンテンツＤｓ３を受け取り、指示された保存先メディアに記録する（Ｅ７）。
【００３７】
サーバＳＶは、音楽コンテンツＤｓ３の配信後、その配信時刻を表わす購入日時情報（コンテンツ配信時間情報）及び当該音楽コンテンツＤｓ３の電子楽器ＥＭへの配信を特定する購入ＩＤ（コンテンツ特定情報）を生成し、少なくとも、コンテンツ指定情報、メディアＩＤ及び購入日時情報を含む情報セットに、購入ＩＤを対応付けたコンテンツ購入記録データを作成し、これをコンテンツ配信記録データベースＤＢｃに記録する（Ｓ５）。さらに、コンテンツ購入記録データに基づいて購入ＩＤを含むコンテンツ購入情報Ｄｓ４を作成して電子楽器ＥＭに送り（Ｓ６）、サーバＳＶ側の「処理１」を終了する。
【００３８】
一方、電子楽器ＥＭは、購入ＩＤを含むコンテンツ購入情報Ｄｓ４をサーバＳＶからを受け取ると（Ｅ８）、プリンタＰＲとの間でコンテンツ購入情報の印刷処理（Ｅ９〜Ｅ１３，Ｐ１〜Ｐ７：図４）を行い、電子楽器ＥＭで受信されたコンテンツ購入情報Ｄｓ４に基づくコンテンツ購入文書ＢｓをプリンタＰＲから印刷出力させる。
【００３９】
電子楽器ＥＭは、まず、コンテンツ購入情報Ｄｓ４から、プリンタＰＲが対応している形式〔プリンタ検出時の処理（ｄ）で取得した能力情報に含まれる〕に合った画像ファイル（印刷画像情報）Ｄｅ３及びそのファイル情報（ファイルサイズ等）Ｄｅ２を作成し（Ｅ９）、次いで、プリンタＰＲに印刷開始を要求する（Ｅ１０）。プリンタＰＲは、これに応じて印刷処理を開始し、電子楽器ＥＭからの印刷開始要求を受け付けた後（ステップＰ１）、電子楽器ＥＭにファイル情報を要求する（Ｐ２）。電子楽器ＥＭは、プリンタＰＲからの要求に応じて、作成された画像ファイルＤｅ３に対応するファイル情報Ｄｅ２を送ると（Ｅ１１）、プリンタＰＲは、電子楽器ＥＭからのファイル情報Ｄｅ２を受け取り（Ｐ３）、電子楽器ＥＭに画像ファイルを要求する（Ｐ４）。
【００４０】
電子楽器ＥＭは、プリンタＰＲからの要求に応じて画像ファイルＤｅ３を送ると（Ｅ１２）、プリンタＰＲは、電子楽器ＥＭからの画像ファイルＤｅ３を受け取り（Ｐ５）、電子楽器ＥＭに画像ファイルＤｅ３に従ってコンテンツ購入文書Ｂｓを印刷し（Ｐ６）、コンテンツ購入文書Ｂｓを印刷作業が完了すると、電子楽器ＥＭに印刷完了通知を送り（Ｐ７）、プリンタＰＲの印刷処理を終了する。また、電子楽器ＥＭは、プリンタＰＲから完了通知を受け取ると（Ｅ１３）、「処理１」を終了する。
【００４１】
（３）コンテンツ再ダウンロード時の処理
図５は、この発明の一実施例によるコンテンツ再ダウンロード時の処理例を表わすフローチャートを示す。この処理フローは、「処理２」或いは再ダウンロード処理と呼ばれ、電子楽器ＥＭがコンテンツ提供サーバＳＶにアクセスして再ダウンロード開始を指示することにより開始する。電子楽器ＥＭにおいて「処理２」が開始し、電子楽器ユーザによる音楽コンテンツ再配信要求のブラウズ操作によって音楽コンテンツの再配信に関する情報提供をサーバＳＶに要求すると（ステップＥ２１）、サーバＳＶは、電子楽器ＥＭからの要求に応じて、コンテンツ案内データベースＤＢｂから、要求に対応する「再ダウンロードページ情報Ｄｓ５」を抽出し電子楽器ＥＭに返送する（ステップＳ２１）。
【００４２】
電子楽器ＥＭでは、再配信要求に応答してサーバＳＶから送信されてくる再ダウンロードページ情報Ｄｓ５を取得し、この情報Ｄｓ５に従って再ダウンロードページをディスプレイ１７の画面に表示する（Ｅ２１）。再ダウンロードページの案内に従って、ユーザにより、コンテンツ購入文書Ｂｓの購入ＩＤを入力する操作が行われると、この入力操作に応じて購入ＩＤを決定し（Ｅ２２）、次いで、購入ＩＤをサーバＳＶに送る（Ｅ２３）。
【００４３】
サーバＳＶは、電子楽器ＥＭからの購入ＩＤを受け取ると、受け取った購入ＩＤによりコンテンツ配信記録データベースＤＢｃを検索し、検索結果をＲＡＭ上に一時記憶する（Ｓ２２）。そして、当該購入ＩＤに一致する購入ＩＤを含むコンテンツ購入記録データが見つけることができたか否かを判定する（Ｓ２３）。
【００４４】
ここで、該当するコンテンツ購入記録データが見つかったときは（Ｓ２３→ＹＥＳ）、購入ＩＤによる購入記録データの検索が「成功」したことを表わす「購入ＩＤ検索結果Ｄｓ６」を電子楽器ＥＭに送り（Ｅ２４）、電子楽器ＥＭからの要求に応じてメディアＩＤ（Ｄｓ８）やコンテンツ（Ｄｓ９）を電子楽器ＥＭに送る処理（Ｓ２５，Ｓ２６）を行う。一方、購入記録データが見つからなかったときには（Ｓ２３→ＮＯ）、検索が「失敗」したことを表わす「購入ＩＤ検索結果Ｄｓ９」を電子楽器ＥＭに送り（Ｅ２７）、電子楽器ＥＭからメディアＩＤやコンテンツの要求があった場合、エラー情報を返信したり音楽コンテンツを新規に配信する例外処理を行う（Ｓ２８）。
【００４５】
さて、電子楽器ＥＭは、サーバＳＶから購入ＩＤ検索結果Ｄｓ６，Ｄｓ９を受け取ると（Ｅ２４）、検索結果が「成功」を表わしているか否かを判定し（Ｅ２５）、「成功」を表わしているときは（Ｅ２５→ＹＥＳ）、購入ＩＤに対応するメディアＩＤをサーバＳＶに要求する（Ｅ２６）。サーバＳＶは、電子楽器ＥＭからの要求に応じて、該当コンテンツ購入記録データから、購入ＩＤに関連付けられたメディアＩＤを抽出し、これを電子楽器ＥＭに返信する（Ｓ２５）。これにより、電子楽器ＥＭは、購入ＩＤに対応付けられたメディアＩＤを取得する（Ｅ２６）。
【００４６】
電子楽器ＥＭは、再ダウンロードしようとする音楽コンテンツが記録される保存先（例えば、スマートメディア）を指示するユーザ操作に応じて、指示された保存先のメディアＩＤを取得し（Ｅ２７）、保存先のメディアＩＤがサーバＳＶから取得したメディアＩＤに一致するか否かを判定し（Ｅ２８）、両メディアＩＤが一致したときは（Ｅ２８→ＹＥＳ）、コンテンツの再配信をサーバＳＶに要求する（Ｅ２９）。
【００４７】
サーバＳＶは、電子楽器ＥＭからの再配信要求に応じて、該当する音楽コンテンツをコンテンツ蓄積データベースＤＢａから取り出して電子楽器ＥＭに再配信する（Ｓ２８）。これにより、電子楽器ＥＭは、要求した音楽コンテンツを取得し（Ｅ２９）、取得した音楽コンテンツを指示された保存先メディアに記録する（Ｅ３０）。
【００４８】
電子楽器ＥＭは、音楽コンテンツをメディアに記録した後（Ｅ３０）、サーバＳＶからの購入ＩＤ検索結果が「失敗」を表わすとき（Ｅ２５→ＮＯ）又はメディアＩＤが一致しないときは（Ｅ２８→ＮＯ）、再ダウンロード手続きが終了したことをサーバＳＶに通知して（Ｓ３１）、「処理２」を終了する。また、サーバＳＶは、コンテンツ再配信（Ｓ２６）或いは例外処理（Ｓ２８）の後、この手続き終了通知を受けて一時記憶させていた検索結果をＲＡＭ上から削除し（Ｅ２９）、「処理２」を終了する。
【００４９】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、電子楽器ＥＭにおいて一度の操作で購入することができる音楽コンテンツは複数でもよい。その場合、各音楽コンテンツの購入を表わすコンテンツ購入文書Ｂｓを音楽コンテンツ数に応じて複数分印刷するようにする。
【００５０】
音楽コンテンツの再ダウンロードをするかどうかを判断する際、メディアＩＤなど保存先を特定する情報のみ確認するだけでなく、再ダウンロードしたいファイルで以前にダウンロードしたファイルが破損した状態でメディア上にあることをも確認した上で、再ダウンロードをするようにしてもよい。これにより、ダウンロードされた音楽コンテンツをメディアから移動させた後に再ダウンロードするのを防ぐことができる。
【００５１】
また、実施例では、コンテンツ再ダウンロード時にユーザが印刷文書Ｂｓを参照しながら購入ＩＤを入力し、電子楽器とサーバとの間での再ダウンロードが自動的に行われるようにしたが、それに代えて、ユーザが印刷文書Ｂｓを連絡先にファクシミリで送ったり、電話で印刷文書Ｂｓを読み上げたりし、連絡先の担当者がそれらに応対して再ダウンロードを許可するようにしてもよい。
【図面の簡単な説明】
【００５２】
【図１】この発明の一実施例による電子楽器のハードウエア構成例を示すブロック図である。
【図２】この発明の一実施例による電子楽器システムの概要説明図である。
【図３】この発明の一実施例によるコンテンツ購入時の処理（処理１）の例を表わすフローチャートの一部である。
【図４】この発明の一実施例によるコンテンツ購入時の処理（処理１）の例を表わすフローチャートの他部である。
【図５】この発明の一実施例によるコンテンツ再ダウンロード時の処理（処理２）の例を表わすフローチャートである。
【符号の説明】
【００５３】
ＣＢ  電子楽器ＥＭとプリンタＰＲをダイレクトに接続するＵＳＢケーブル、
Ｄｂｃ  音楽コンテンツ提供サーバＳＶのコンテンツ配信記録データベース、
Ｂｓ  印刷文書（コンテンツ購入文書）。
【図１】
0004605069.tif 000002
【図２】
0004605069.tif 000003
【図３】
0004605069.tif 000004
【図４】
0004605069.tif 000005
【図５】
0004605069.tif 000006